(57)【要約】【課題】足裏の滑りを防止するとともに、容易につま先、つけ根、かかとでバランスを取りながら歩行可能な履物等を提供する。【解決手段】利用者の少なくとも足裏の前方を支持する基体１５を備え、基体１５には、利用者の足の親指の中足趾節関節の足裏側に配置される突起２０が設けられている。【選択図】図１
2018023691.tif 000002
【特許請求の範囲】
【請求項１】
利用者の少なくとも足裏の前方が接するベースを備え、
前記ベースには、当該利用者の拇趾と第二趾の間の指元を始点として、前記ベースの両側の斜め後方に向かって延びて配置される突起部を備えていることを特徴とする履物。
【請求項２】
前記突起部は、当該利用者の足の各指の中足趾節関節を結ぶ線を跨ぐようにして配置されていることを特徴とする請求項１に記載の履物。
【請求項３】
前記突起部の一部は、母趾球の輪郭線の外側に配置されるように湾曲して形成されていることを特徴とする請求項２に記載の履物。
【請求項４】
前記突起部は、当該利用者の足裏の拇趾球、及び小趾球のそれぞれを横断して配置されることを特徴とする請求項１に記載の履物。
【請求項５】
前記ベースには、利用者の拇趾と第二趾の間の指元に配置される突起を備えていることを特徴とする請求項１、又は請求項４に記載の履物。
【請求項６】
履物内に装着されるインソールであって、
利用者の足裏に装着されるベースを備え、
このベースには、当該利用者の拇趾と第二趾のつけ根を始点として、前記ベースの両側の斜め後方に向かって延びて配置される突起部を備えていることを特徴とするインソール。
【請求項７】
履物内に装着されるインソールであって、
利用者の少なくとも足裏のつけ根後方に接し、所定の厚みを有する基体を備え、
前記基体には、利用者の足裏を位置決めするための位置決め手段を備えていることを特徴とするインソール。
【請求項８】
前記基体は、帯状に形成され、少なくとも利用者の足裏の拇趾球の近傍、及び小趾球近傍と接触することを特徴とする請求項７に記載のインソール。
【請求項９】
前記位置決め手段は、足の複数の指を挿通可能な孔部であって、当該孔部が基体に一体的に形成されていることを特徴とする請求項７、又は請求項８に記載のインソール。
【発明の詳細な説明】
【技術分野】
【０００１】
本発明は、履物等に関する。
【背景技術】
【０００２】
一般的に、正しい歩行は、足のつま先、足の指のつけ根（以下、単に「つけ根」と称する）、かかとの３点でバランスをとる（以下、「３点歩行」と称する）ことが知られている。一方で、多くの人は、つけ根とかかとの２点でバランスをとりながら歩行（以下、「２点歩行」と称する。）を行っている。
【０００３】
ここで、腰痛等の障害が発生する要因の一つとして、この２点歩行があげられる。２点歩行では、３点歩行よりも足の荷重が適正な位置よりも後方へとずれ、バランスをとるために伸筋群が緊張を起こし腰等に過剰な衝撃が加わるためである。
【０００４】
また、外反母趾等の足の障害が発生する要因の一つとして、この２点歩行があげられる。２点歩行では、つま先に力が加わらないことから足裏の横アーチや縦アーチが崩れるため足裏が不安定となっており、歩行中に足裏が滑る等することで過剰な力が足の骨の一部に加わるためである。
【０００５】
つまり、これら腰痛や外反母趾等の足の障害を防止するためには、３点歩行を行うことが重要となる。
【０００６】
また、歩行中における足裏の滑りを防止するためのインソールが提案されている。（特許文献１参照）。特許文献１に示すインソールは、足の親指と人差し指との間に挟んで利用される突起により、前すべりを防止するものである。
【０００７】
また、一般的な履物は、前下方向への摩擦抵抗はつま先若しくは足の甲によっておこり、靴底への荷重が間接的に伝わる構造体になっている。
【先行技術文献】
【特許文献】
【０００８】
【特許文献１】特許第５８２０４３４号公報
【発明の開示】
【発明が解決しようとする課題】
【０００９】
特許文献１に示すインソールは、足裏の滑りを防止するには効果的であるものの、足の親指と人差し指には無意識に過剰な力が加わるため、足裏の状態が不安定になりやすい。
【００１０】
また、意識的につま先を接地させるように歩行したとしても、一般的な履物の構造上、足裏が滑りやすく足の指が浮きやすいため３点歩行は長続きしにくく、２点歩行に戻ってしまいやすい。
【００１１】
そこで、このような課題の一例を解消するために、本願は、足裏の滑りを防止するとともに、容易につま先、つけ根、かかとでバランスを取りながら歩行可能な履物等を提供することを目的とする。
【課題を解決するための手段】
【００１２】
上述した課題を解決するため、本願請求項１に記載の履物（１００Ｂ、１００Ｃ）は、利用者の少なくとも足裏の前方が接するベースを備え、前記ベースには、当該利用者の拇趾と第二趾の間の指元を始点として、前記ベースの両側の斜め後方に向かって延びて配置される突起部（１５０）を備えていることを特徴とする。
【００１３】
また、請求項２に記載の履物は、請求項１に記載の履物において、前記突起部は、当該利用者の足の各指の中足趾節関節を結ぶ線（７）を跨ぐようにして配置されていることを特徴とする。
【００１４】
また、請求項３に記載の履物は、請求項２に記載の履物において、前記突起部の一部は、拇趾球の輪郭線の外側に配置されるように湾曲して形成されていることを特徴とする。
【００１５】
また、請求項４に記載の履物は、請求項１に記載の履物において、前記突起部は、当該利用者の足裏の拇趾球、及び小趾球のそれぞれを横断して配置されることを特徴とする。
【００１６】
また、請求項５に記載の履物は、請求項１、又は請求項４に記載の履物において、前記ベースには、利用者の拇趾と第二趾の間の指元に配置される突起を備えていることを特徴とする。
【００１７】
また、請求項６に記載のインソールは、履物内に装着されるインソールであって、利用者の足裏に装着されるベースを備え、このベースには、当該利用者の拇趾と第二趾のつけ根を始点として、前記ベースの両側の斜め後方に向かって延びて配置される突起部を備えていることを特徴とする。
【００１８】
また、請求項７に記載のインソール（６０）は、履物内に装着されるインソールであって、利用者の少なくとも足裏のつけ根後方に接し、所定の厚みを有する基体（６１）を備え、前記基体には、利用者の足裏を位置決めするための位置決め手段（６２）を備えていることを特徴とする。
【００１９】
また、請求項８に記載のインソールは、請求項７に記載のインソールにおいて、前記基体は、帯状に形成され、少なくとも利用者の足裏の拇趾球（５７）の近傍、及び小趾球（５８）近傍と接触することを特徴とする。
【００２０】
また、請求項９に記載のインソールは、請求項７、又は請求項８に記載のインソールにおいて、前記位置決め手段は、足の複数の指を挿通可能な孔部であって、当該孔部が基体に一体的に形成されていることを特徴とする。
【図面の簡単な説明】
【００２１】
【図１】本実施形態に係る構成の一例を示す模式図である。
【図２】突起の装着部分を説明するための裏側から視認した右足の骨構造の一例を示す模式図である。
【図３】側面視における足の指の可動状態を説明するための模式図である。
【図４】足に荷重が加わった際の足の状態を説明するための正面視における足の模式図である。
【図５】実施例１に係る履物の平面図である。
【図６】図５のＡ−Ａ断面図である。
【図７】実施例１に係る履物の装着例を示す模式図であり、図５（ａ）は側面図、図５（ｂ）は正面図である。
【図８】実施例２に係るインソールを装着した履物の構成の一例を示す模式図である。
【図９】実施例３に係るインソールを示し、図９（ａ）はインソールの構成例を示す模式図、図９（ｂ）は図９（ａ）のＢ−Ｂ断面図、図９（ｃ）はインソールの装着例を示す模式図である。
【図１０】実施例４に係る履物の平面図である。
【図１１】図１０のＢ−Ｂ断面図である。
【図１２】実施例５に係る履物の構成例を示す模式図である。
【図１３】第２の突起部の装着部分を説明するための裏側から視認した右足の骨構造の一例を示す模式図である。
【図１４】実施例６に係る履物の外観例を示す模式図である。
【図１５】実施例７に係るインソールの外観例を示す模式図である。
【図１６】実施例７に係るインソールを装着例を示す模式図である。
【図１７】実施例８に係るインソールの外観例を示す模式図である。
【図１８】突起部の配置例を示す模式図である。
【発明を実施するための形態】
【００２２】
次に、本願を実施するための形態について、図１乃至図３を用いて説明する。
【００２３】
本願は、特に、図３に示すように歩行時においてつま先２が浮き上がることにより、足裏前方の接触面積が少ないことで足裏が滑りやすくなる点、及び重心が後方に移動することで腰などに負担がかかりやすくなる点を考慮してなされ、履物１Ａ又はインソール１Ｂの表面につま先２及びつけ根３近傍をしっかりと接地させ、利用者に正しい歩行をさせるものである。
【００２４】
図１に示すように、本実施形態の履物１Ａやインソール１Ｂは、足に装着されるものであって、足裏５が接触する基体（ベース）１５と、基体１５の前方が上方に突出した突起２０と、を備える。この突起２０は、利用者に装着された際に、少なくとも利用者の足の各指６の中足趾節関節（ＭＴＰ関節Ｘ）を結ぶ線（以下、足の各指６の中足趾節関節を湾曲状に結んだ線をアーチ部分７と称する。）に沿って配置される（図２）。
【００２５】
突起２０は、肉厚の最も厚い頂部を有し、頂部から前方、及び頂部から後方にかけて肉厚が薄くなるアーチ形状に形成されている。この突起２０は、例えば、弾性部材で形成されており、荷重がかかることで滑らかに傾斜する。
【００２６】
足の指は、図３に示すように、側面視において、ＭＴＰ関節Ｘを支点として指骨（つま先２）を上下に動作可能となっており、図１に示すようにアーチ部分７に突起２０を配置することで、図３中二点鎖線に示すように、ＭＴＰ関節Ｘを支点としてつま先２が自然と下方に屈曲する。これにより、つま先部分はインソール１Ｂや履物１Ａの表面としっかり接地し、つま先２、つけ根３、かかと４の３点で体が支持されるため、歩行時には、体の重心が足の前方へと移動し、つま先２にしっかりと荷重がかかる。そして、足はその構造上、図４（ａ）に示すように、大きく横に広がり、各足指６の間隔も広がり、各指６がしっかりとインソール１Ｂや履物１Ａの表面と接触する。このとき、各足指６は地面と正対し真下に向かって強く押す力が作用するため、正しい歩行が行われやすくなり、歩行が安定する。
【００２７】
なお、つま先２が浮いた状態の場合、つけ根３とかかと４の２点支持となり、重心が後方へと移動するため、腰などに負担がかかる。また、十分に広がった足は、図４（ａ）中矢印に示すように、各足指６が地面と正対し真下に向かって強く押す力が作用するものの、図４（ｂ）に示すように、足が十分に広がらない場合、各足指６は地面と斜めに対峙するため、図４（ｂ）中矢印に示すように、地面を斜めに押す力が作用するために力が分散して地面を強く押すことができず、さらに、足指６は内側に収束するため変形しやすくなるとともに歩行が安定しにくくなる。
【００２８】
また、アーチ部分７に突起２０を配置することで、図１に示すように、突起２０の表面に、ＭＴＰ関節Ｘよりもかかと４側の足裏面とつま先２及びつけ根３近傍の足裏面を密着させ、足裏前方におけるインソール１Ｂや履物１Ａの表面との接触面積を多くして摩擦係数を大きくすることで、歩行時において、足裏を滑りにくくできる。
【実施例１】
【００２９】
次に、上述した実施形態に対応する具体的な実施例について、図５乃至図７を用いて説明する。また、図示例の履物は右足用であるが、左足用についても同様の構成であり、便宜的に図示並びにその説明を省略する。
【００３０】
なお、以下に説明する実施例は、本願発明を一般的にサンダルと称される履物に適用した実施例である。また、本実施例の履物は、サンダル以外の例えば運動靴等の様々な履物に適用することが可能である。
【００３１】
本実施例の履物１Ａは、平面視において足型形状に模られた履物本体１１と、履物本体を足に取り付ける取付体１２（本願の引上手段）と、を有する。取付体１２は、例えば、紐状の部材で形成され、履物本体１１の前方両側側面に取り付けられ、図７に示すように、前方両側側面に取り付けられている２つの紐状の部材を足の甲の上部で交差させつつ、足首で結ぶことによって、履物本体１１を足に固定する。
【００３２】
履物本体１１は、図６に示すように、足裏５と接する略平板状の部材で構成され、利用者の足裏と接する表面１３ａと、その反対側に設けられた地面側と接する裏面１３ｂと、を有する。なお、略平板状とは、足裏の形に模られた多少の凹凸を含む趣旨である。
【００３３】
履物本体１１は、所定の厚みを有し平面視においてほぼ足裏の形状に模られた薄板状の基体１５と、基体１５の前方に設けられた突起２０と、を備えている。基体１５及び突起２０は、歩行時において、地面との間に作用する力を吸収すべく弾性体で形成される。
【００３４】
なお、本実施例において、基体１５は弾性体で形成されているが、特に、弾性を有する必要はなく、樹脂や木材等の種々の材料を用いて成形される。
【００３５】
この弾性体の強度としては、特に制限されるものではないが、復元力を有し、足裏に対して適度な反発力を作用させる必要がある。また、基体１５の厚みも特に制限されるものではなく、履き心地に違和感等を覚えることなく良好な履き心地を維持できれば良い。
【００３６】
突起２０は、基体１５の表面１３ａに荷重がかかった場合に基体１５上方に突出する部分であり、少なくとも利用者の親指の中足趾節関節の足裏と接する位置に配置される。
【００３７】
具体的に、突起２０は、基体１５の裏面１３ｂに設けられ、基体１５の一方の側縁から他方の側縁にわたって基体１５を横断するように延びた略帯状の部材２１によって形成されている。この部材２１は、例えば、所定の厚みを有し、親指側の端部が小指側の端部よりも幅広に形成されている。
【００３８】
なお、親指側を小指側よりも幅広にしたのは、親指側にかかる荷重が小指側にかかる荷重よりも大きいことを考慮するものであり、特にこの形状に限定されるものではなく、均一幅としても構わない。
【００３９】
このように、本実施例の履物１Ａは、基体１５の裏面１３ｂに部材２１を配置することで、荷重が基体１５に加わった際に部材２１が弾性変形し、突起２０が形成される。この突起２０は、図１に示すように、肉厚の厚い頂部を有し、頂部から前方、及び頂部から後方にかけて肉厚が薄くなるアーチ形状に形成され、その表面はなだらかな曲面を有する。
【００４０】
したがって、利用者の足の指、母子球を含む指のつけ根３がこの突起２０と密着するとともにこの突起２０の高さによって足裏が滑り難くなり、足裏の滑りが防止される。また、この突起２０の前方先端部の形状に沿って足の指が自然と「く」の字に屈曲する（指が下方に下がる）ことによって、つま先２は基体１５の表面１３ａ（地面）に接触されやすくなり、歩行時には、つま先２、つけ根３、かかと４の３点で安定的に足が支持される。
【００４１】
なお、本実施形態では、突起２０を形成する部材２１は、基体１５の裏面に取り付けられているが、基体１５の表面に取り付けられても構わない。
【００４２】
また、突起２０は、弾性部材を有してなく固い部材であっても構わないが、その場合、部材２１は、好適には、断面形状が略三角形状に形成され、アーチ部分７に沿うように配置される頂部と、頂部からつま先側に伸びる前方面と頂部から踵側に伸びる後方面と、を有し、この前方面と後方面が滑らかに湾曲して形成される。
【００４３】
部材２１の形状を略三角形状に形成、さらには前方面と後方面を湾曲させることで、つけ根３の窪み近傍に突起２０がより密着しやすくなるため、摩擦抵抗によって足裏の滑りがより防止される。また、突起２０の前方先端側は自然に湾曲するため指がその形状に沿って配置され、指が浮いた状態になりにくくなることによって、つま先２は基体１５（地面）に接触されやすくなり、歩行時には、つま先２、つけ根３、かかと４の３点で安定的に足が支持される。
【００４４】
また、基体１５は、少なくとも足裏の前方部分と接地する領域を有していればよく、つま先２側、又はかかと４側の一部を欠く構成であっても構わない。
【００４５】
また、取付体１２は、例えば、履物本体１１の前方両側をその上方において弾性部材で連結しても構わない。また、本実施例の取付体１２は、足の甲の部分を固定することで履物本体１１を足に固定するようになっているが、足の指も含めて固定するように取付体１２を配置しても構わない。このように、取付体１２は、履物本体１１を足に固定でき、さらには、履物本体１１の前方両側側面を上方へ引き上げることができればどのような形態であっても構わない。
【００４６】
また、本実施例では、突起２０を形成する部材２１は、所定の位置に固定して取り付けられるが、前後方向に移動可能に取付可能とし、部材２１の位置を調整可能としても構わない。例えば、基体１５と部材２１とをマジックテープ（登録商標）等で着脱可能にし、基体側のマジックテープ（登録商標）を幅広に設けることで、部材２１の位置を前後方向に移動することが可能となる。このようにすれば、利用者の各々の足裏の形状にしたがって、適正な位置に部材２１を配置することが可能となる。
【００４７】
以上に説明したように、本実施例の履物１Ａは、利用者の少なくとも足の前方を支持する基体１５を備え、この基体１５には、利用者の各指の中足趾節関節を結ぶ湾曲状の線（アーチ部分７）に沿って突起２０が設けられている。
【００４８】
したがって、この履物１Ａは、突起２０によって利用者の足裏５のつま先２の後方を含むつけ根３の近傍を基体１５の表面１３ａに密着させるとともに、つま先２を下方に屈曲させることが可能であるため、歩行時において、つま先２、つけ根３、かかと４の３点で安定的に足が支持される。
【実施例２】
【００４９】
次に、図８を用いて本願の実施例２について説明する。なお、図８において、図５及び図６と共通する部分には同一符号を付し、それらの詳細な説明は省略する。また、図示例のインソールは右足用であるが、左足用についても同様の構成であり、便宜的に図示並びにその説明を省略する。
【００５０】
なお、以下に説明する実施例は、一般的に運動靴と称される履物の中底の上に装着されるインソール１Ｂである。また、本実施例のインソールが装着される履物は、運動靴に限定されるものではなく、サンダル等様々な履物にも適用することが可能である。また、インソール１Ｂとは、いわゆる中底と中敷のどちらも含むものであるが、本実施例では中敷として説明を行う。なお、中底とは履物の一部品であり、完成後は取外しができないものをいう。一方、中敷とは、完成後の履物の追加部品として後で取り付け、取り外し可能なものをいう。
【００５１】
実施例２に係るインソール１Ｂは、本願発明の適用例が異なる一例であって、実施例１の履物１Ａは、直接的に地面を歩くために用いられる履物であるのに対して、実施例２のインソール１Ｂは間接的に地面を歩くために用いられる点で異なる。
【００５２】
本実施例のインソール１Ｂは、利用者の足裏と接する中底３１ａを有する足型形状に模られた履物本体３１に装着される。履物本体３１は、例えば、運動靴であって、足の全体を覆うものである。
【００５３】
インソール１Ｂは、足裏と接する略平板状の部材で構成され、足裏側と接する表面１３ａと、その反対側に設けられた履物本体３１の中底３１ａと接する裏面１３ｂと、を有する。なお、略平板状とは、足裏の形に模られた多少の凹凸を含む趣旨であり、インソール１Ｂは、履物本体３１の中底３１ａ上に配置されるものである。
【００５４】
インソール１Ｂは、所定の厚みを有し平面視においてほぼ足裏の形状に模られた薄板状の基体１５と、基体１５の前方に設けられた突起２０と、を備えている。突起２０は、弾性変形可能な弾性体で形成される。この弾性体の強度としては、特に制限されるものではないが、復元力を有し、足裏に対して適度な反発力を作用させる必要がある。
【００５５】
基体１５の平面形状は、履物本体３１の中底３１ａの形状よりも少し小さい同形状に形成され、基体１５を中底３１ａ上に装着した後に履物本体３１の内部でずれにくくなっている。
【００５６】
なお、基体１５は、履物本体３１の中でずれることのない程度に固定可能な面積が必要であるものの、少なくとも足裏の前方部分と接地する領域を有していればよく、つま先側、又はかかと側の一部を欠く構成であっても構わない。
【００５７】
突起２０は、基体１５上方に突出した部分であり、少なくとも利用者の親指の中足趾節関節の足裏と接する位置に配置される。
【００５８】
具体的に、突起２０は、基体１５の裏面に設けられ、所定の厚みを有し、基体１５の一方の側縁から他方の側縁にわたって基体１５を横断するように延びた略帯状の部材２１によって形成されている。このように、基体１５の裏面に部材２１を配置することによって突起２０を形成することで、荷重が基体１５に加わった際に部材２１が弾性変形し、突起２０の表面はなだらかな曲面を有して形成される。
【００５９】
したがって、利用者の足の各指、母子球を含む指のつけ根３がこの突起２０と密着するとともにこの突起２０の高さによって足裏が滑り難くなり、足裏の滑りが防止される。また、この突起２０の前方先端部の形状に沿って足の指が自然と「く」の字に屈曲することによって、つま先２は基体１５の表面１３ａ（地面）に接触されやすくなり、歩行時には、つま先２、つけ根３、かかと４の３点で安定的に足が支持される。
【実施例３】
【００６０】
次に、図９を用いて本願の実施例３について説明する。なお、図９（ａ）は、左足の足裏に本実施例のインソールを装着する際の説明に用いられる模式図である。また、図９において、図５、図６、及び図８と共通する部分には同一符号を付し、それらの詳細な説明は省略する。また、図示例のインソールは左足用であるが、右足用についても同様の構成であり、便宜的に図示並びにその説明を省略する。
【００６１】
なお、以下に説明する実施例は、一般的に運動靴と称される履物の中底の上に装着されるものである。また、本実施形態のインソール１Ｃは、運動靴に限定されるものではなく、サンダル等様々な履物に適用することが可能である。
【００６２】
実施例３に係るインソール１Ｃは、実施例２のインソール１Ｂが、その形状でもってインソール１Ｂの滑りを防止するものであるのに対して、実施例３のインソール１Ｃは履物３１の中底３１ａに直接作用してインソール１Ｃの滑りを防止する点で異なる。
【００６３】
本実施例のインソール１Ｃは、図９（ａ）に示すように、突起２０として機能する足の両側を横断するように延びた略帯状の部材４１によって形成され、特に、平面視における部材４１の形状が、つま先２側、及びかかと４側の一部を欠く形状である場合に有効である。また、この部材４１の両側には、例えば、紐状の取付体１２が夫々取り付けられており、足の甲の上部で交差させつつ、足首で結ぶことによって部材４１が足に固定される。
【００６４】
また、この部材４１は、その両側側面の幅が利用者の足の幅を超えて少し広く形成され、この部材４１を利用者の足に装着した際に、幅広に形成された部材４１の両側が取付体１２によって上方に引き上げられ、利用者の足の前方側面部がその部材４１の両側によって覆われる。このように、部材４１の横幅を幅広に形成し、部材４１の両側で足の両側をホールドすることで、足裏の横アーチがくずれにくくなっており、上述した部材４１による突起２０の効果とともに、より指先がひろがり指の摩擦抵抗が増して踏ん張ることが可能となる。
【００６５】
また、部材４１の裏面４１ａには、ゴム等の粘着部材による半円状の凸状体４０が所定の間隔で形成される。この凸状体４０が所定の間隔で形成されることで、全体として凹凸形状に形成される。なお、この形状は凸状体４０に限られるものではなく、例えば、ゴム等の粘着部材で形成された幅方向に延びる帯状体を並列に複数設けても、縦方向に延びる帯状体を複数設けても構わない。
【００６６】
このように構成されたインソール１Ｃによれば、部材４１の裏面４１ａに形成された凸状体４０により履物の中底に対して滑りにくくなっているとともに、歩行時における足裏のすべりを効果的に防止することができる。また、部材４１の側面は、利用者の足の幅を超えて形成されており、図９（ｃ）に示すように、基体１５の前方両側端部は取付体１２によって上方に引き上げられるため、足裏の横アーチがくずれにくくなっている。したがって、歩行時において、適正につま先２を含む足裏が履物の中底の表面（地面）に接地される。
【実施例４】
【００６７】
次に、図１０及び図１１を用いて本願の実施例４について説明する。また、図１０及び図１１において、図５、及び図６と共通する部分には同一符号を付し、それらの詳細な説明は省略する。なお、本実施例は、図５及び図６に示す実施例１に示す履物１Ａと、突起２０を形成する部材の形態が異なる点で相違する。
【００６８】
本実施例の履物１Ｄは、図５に示す実施例と同様に、平面視において足型形状に模られた履物本体１１と、履物本体を足に取り付ける取付体１２（本願の引上手段）と、を有する。取付体１２は、例えば、紐状の部材で形成され、履物本体１１の前方両側側面に取り付けられる。
【００６９】
この履物本体１１は、図１１に示すように、足裏５と接する略平板状の部材で構成され、利用者の足裏と接する表面１３ａと、その反対側に設けられた地面側と接する裏面１３ｂと、を有する。なお、略平板状とは、足裏の形に模られた多少の凹凸を含む趣旨である。
【００７０】
履物本体１１は、所定の厚みを有し平面視においてほぼ足裏の形状に模られた薄板状の基体１５と、基体１５の前方に設けられた突起２０と、を備えている。基体１５及び突起２０は、歩行時において、地面との間に作用する力を吸収すべく弾性体で形成される。
【００７１】
この弾性体の強度としては、特に制限されるものではないが、復元力を有し、足裏に対して適度な反発力を作用させる必要がある。また、基体１５の厚みも特に制限されるものではなく、履き心地に違和感等を覚えることなく良好な履き心地を維持できれば良い。
【００７２】
この突起２０は、基体１５の一方の側縁から他方の側縁にわたって基体１５を横断するように延びた略帯状の部材５０によって形成されており、その断面形状が履物本体１１の裏面と接する底部５０ａを有する略三角形状に形成され、図１０に示すアーチ部分７に沿うように配置される頂部５１と、頂部５１からつま先側に直線状に伸びる前方面５２と頂部５１から踵側に直線状に伸びる後方面５３と、を有して形成される。なお、この前方面５２と後方面５３は滑らかに湾曲して形成されても構わない。
【００７３】
そして、履物１Ｄは、部材５０の底部を履物本体１１の裏面１３ｂに接着等によって固定して製造される。このようにして製造された履物１Ｄは、荷重が基体１５に加わった際に部材５０が弾性変形し、突起２０が形成される。この突起２０は、図７に示すように、履物本体１１の表面１３ａにおいて、上方に突出する肉厚の厚い頂部を有し、頂部から前方、及び頂部から後方にかけて肉厚が薄くなるアーチ形状に形成され、その表面はなだらかな曲面を有して形成される。
【００７４】
したがって、利用者の足の指、拇指球を含む指のつけ根３がこの突起２０と密着するとともにこの突起２０の高さによって足裏が滑り難くなり、足裏の滑りが防止される。また、この突起２０の前方先端部の形状に沿って足の指が自然と「く」の字に屈曲する（指が下方に下がる）ことによって、つま先２は基体１５の表面１３ａ（地面）に接触されやすくなり、歩行時には、つま先２、つけ根３、かかと４の３点で安定的に足が支持される。
【００７５】
なお、部材５０の幅は、均一幅でもよいし、親指側の端部が小指側の端部よりも幅広に形成されても構わない。
【００７６】
このように、本実施例の履物１Ｄは、基体１５の裏面１３ｂに略三角形状の部材５０を配置したものであって、部材５０の頂部５１を下側にして、底部５０ａを裏面１３ｂに接着固定して製造される。そして、荷重が履物本体に加わると、部材が弾性変形することによって、基体１５のアーチ部分７が上方へと突出し図７に示すように突起２０を形成することができる。
【実施例５】
【００７７】
次に、図１２及び図１３を用いて本願の実施例５について説明する。なお、本実施例は、運動靴等の中敷きに適用した一例を説明する。
【００７８】
本実施例は、特に、歩行時においてつま先２が浮き上がることにより、足裏前方の接触面積が少ないことで足裏が滑りやすくなる点、及び重心が後方に移動することで腰などに負担がかかりやすくなる点を考慮してなされ、履物１００Ａの表面につま先２及びつけ根３近傍をしっかりと接地させ、利用者に正しい歩行をさせるものである。
【００７９】
図１２に示すように、本実施形態の履物１００Ａは、利用者の足に装着される履物本体（図示しない）を備え、その内側底部には、少なくとも利用者の足裏の前方が接する接触面１１１ａを有する基体１１０を備えている。この基体１１０の前方部には、上方に突出する突起部１２０が設けられている。
【００８０】
なお、基体１１０は、少なくとも足裏の前方が接する領域を有していればよく、必ずしも利用者の足裏全体を接触させる必要はない。
【００８１】
履物本体は、利用者の足の甲を覆うように配置され、利用者の足が位置決めして固定される。そして、突起部１２０が利用者の足裏の適切な位置に位置決めされる。
【００８２】
突起部１２０は、基体１１０の裏面に設けられ、図１３に示すように、利用者の足の拇趾と第二趾のつけ根を始点として、略Ｕ字またはＶ字状に基体１１０の前方部両側の斜め後方に向かって延びて配置される。この突起部１２０は、略帯状に形成された部材１２１を備え、その前方端部は、例えば、利用者の足の各指６の中足趾節関節（ＭＴＰ関節Ｘ）を湾曲状に結んだアーチ部分７にほぼ沿ったアーチ状に形成されている。そして、基体１１０が足に装着された際に、図１２に示すように、その荷重によって部材１２１及び基体１１０が弾性変形し、突起部１２０は基体１１０の上方に突出する。
【００８３】
なお、本実施形態において、突起部１２０は基体１１０の裏面に設けられているが、表面側、又は基体１１０を上下２つの部材で構成し、その部材間に設けられてもかまわない。
【００８４】
足の指は、図３に示すように、側面視において、ＭＴＰ関節Ｘを支点として指骨（つま先２）を上下に動作可能となっており、突起部１２０を設けることで、図３中二点鎖線に示すように、つま先を自然と下方に屈曲させることが可能である。これにより、つま先部分は履物１００Ａの表面に密着し、つま先２、つけ根３、かかと４の３点で体が支持されるため、歩行時には、身体の重心が足の前方へと移動し、つま先２にしっかりと荷重がかかる。そして、足はその構造上、図４（ａ）に示すように、大きく横に広がり、各足指６の間隔も広がり、各指６がしっかりと履物１００Ａの表面と接触する。このとき、各足の指６は地面と正対し真下に向かって強く押す力が作用するため、正しい歩行が行われやすくなり、歩行が安定する。
【００８５】
なお、つま先２が浮いた状態の場合、つけ根３とかかと４の２点支持となり、重心が後方へと移動するため、足裏が不安定となる。また、十分に広がった足は、図４中矢印に示すように、各足の指６が地面と正対し真下に向かって強く押す力が作用するものの、図４（ｂ）に示すように、足が十分に広がらない場合、各足指６は地面と斜めに対峙するため、図４中矢印に示すように、地面を斜めに押す力が作用するために力が分散して地面を強く押すことができず、さらに、足指６は内側に収束するため変形しやすくなるとともに歩行が安定しにくくなる。
【００８６】
このように、本実施例の履物１００Ａは、利用者の足のつけ根近傍に配置されてつま先２の浮き上がり等を防止する突起部１２０を備えているので、図１２に示すように、突起部１２０の表面に、つま先２及びつけ根３近傍の足裏面が密着し、足裏前方における履物１００Ａの表面との接触面積が多くなり摩擦係数が大きくなるため、歩行時において足裏を滑りにくくできる。また、突起部１２０によって、足は大きく横に広がり、足の各指６の間隔も広がり、各指６は、屈曲してしっかりと基体１１０の表面に接地するため、足裏を安定させることが可能である。
【実施例６】
【００８７】
次に、図１４を用いて本願の実施例６について説明する。また、図示例の履物１００Ｂは右足用であるが、左足用についても同様の構成であり、便宜的に図示並びにその説明を省略する。
【００８８】
なお、以下に説明する実施例は、本願発明を一般的に草履と称される履物に適用した実施例である。また、本実施例の履物は、草履以外の例えば運動靴等の様々な履物に適用することが可能である。
【００８９】
図１４に示すように、本実施例の履物１００Ｂは、例えば、平面視において足型形状に模られたベース１３０を備え、このベース１３０の表面には利用者の足が載置される。そして、このベース１３０上には、利用者の足を位置決めするとともに固定する鼻緒１３５が設けられている。
【００９０】
鼻緒１３５は、、足の拇趾と第二指の間の指元に挟まる円柱状の突起１４１に、足の甲の一部を覆う略Ｖ字形に形成された帯状のベルト１４２の先端が一体的に設けられて構成される。
【００９１】
ベース１３０は、略平板状の弾性部材で形成され、例えば、ビニール樹脂によって形成される。なお、略平板状とは、足裏の形に模られた多少の凹凸を含む趣旨である。また、ベース１３０の材質は、ビニール以外の樹脂やコルク、ゴム等であってもよく、特に限定されるものではない。
【００９２】
この弾性部材の強度としては、特に制限されるものではないが、復元力を有し、足裏に対して適度な反発力を作用させる必要がある。また、ベース１３０の厚みも特に制限されるものではなく、履き心地に違和感等を覚えることなく良好な履き心地を維持できれば良い。
【００９３】
このベース１３０は、前方中央部から右寄りに形成された前方孔１４６と、後方左右両側に夫々形成された２つの左孔１４７及び右孔１４８と、を有し、前方孔１４６には、突起１４１が取り付けられ、左右の孔１４７、１４８には、ベルト１４２の後端が取り付けられる。
【００９４】
そして、この前方孔１４６に配置される突起１４１によって、利用者の足が位置決めされ、ベルト１４２によって、足の甲の一部が覆われてベース１３０に固定される。
【００９５】
また、ベース１３０上には、図１４に示すように、ベース１３０の表面から上方に突出する突起部１５０が設けられている。
【００９６】
なお、この突起部１５０は、ベース１３０の裏面、、又はベース１３０を上下２つの部材で構成し、その部材間に取り付けられても構わない。この場合、ベース１３０の表面に荷重がかかった場合に、ベース１３０の弾性変形によってこのベース１３０の前方部（利用者の足裏のつけ根近傍）が上方に突出する。
【００９７】
この突起部１５０は、断面が略矩形状形成されたゴムやスポンジ等の弾性体で形成され、例えば、略Ｕ字またはＶ字状であって略均等幅の帯状に形成されている。なお、この突起部１５０は、弾性体でなく樹脂等の比較的硬い材質で形成されてもよい。この場合、足裏との密着性を高めるべく断面視山型の湾曲状にすることが好ましい。
【００９８】
突起部１５０は、利用者に履物１００Ｂが装着された際に、突起１４１を始点として、利用者の足裏の拇趾球の最大豊隆部又はその近傍を横断するように履物１００Ｂの前方部の内側斜め後方に延びて配置される突起体１５１と、突起部１５０を始点として、小趾球の最大豊隆部又はその近傍を横断するように履物１００Ｂの前方部の外側斜め後方に延びて配置される他の突起体１５２と、を備えている。
【００９９】
また、この突起部１５０の前方端部は、利用者の足の各指６の中足趾節関節（ＭＴＰ関節Ｘ）を湾曲状に結んだアーチ部分７にほぼ沿ったアーチ状に形成されていることが好ましい。
【０１００】
なお、本実施例において、突起体１５１、１５２は弾性体で形成されているが、特に、弾性を有する必要はなく、樹脂や木材等の種々の材料を用いて成形されても構わない。
【０１０１】
このように構成された履物１００Ｂによれば、利用者の足の各指、つけ根３、拇趾球、及び小趾球が突起部１５０の表面と密着されることによって足裏が滑り難くなり、足裏の滑りが防止される。また、この突起部１５０の前方先端部の形状に沿って足の指が自然と「く」の字に屈曲する（指が下方に下がる）ことによって、つま先２は浮き上がることなくベース１３０の表面（地面）に接触されやすくなり、歩行時には、つま先２、つけ根３、かかと４の３点で安定的に足が支持される。
【０１０２】
また、突起１４１を有することで、足裏のすべりを容易に防止できるとともに、足の位置が固定される。したがって、この突起１４１を始点として突起部１５０を配置することで、利用者の足裏の適正な位置に突起部１５０を容易に配置可能である。
【０１０３】
以上に説明したように、本実施例の履物１００Ｂは、利用者の足が載置されるベース１３０を備え、このベース１３０の前方には、利用者の拇趾と第二趾の間の指元に配置される突起１４１と、突起１４１を始点として、利用者の足裏の拇趾球の最大豊隆部近傍を横断するようにベース１３０の前方部の内側斜め後方に延びて配置される突起体１５１と、突起１４１を始点として、小趾球の最大豊隆部近傍を横断するようにベース１３０の前方部の外側斜め後方に延びて配置される他の突起体１５２と、を備えている。
【０１０４】
したがって、この履物１００Ｂは、突起体１５１、１５２によって、つま先２の浮き上がりを防止してつま先２を下方に屈曲させ、利用者の足裏５のつま先、つけ根、拇趾球、及び小趾球近傍をベース１３０の表面に密着させることが可能であるため、安定的に足が支持される。
【実施例７】
【０１０５】
次に、図１５及び図１６を用いて本願の実施例７について説明する。本実施例は、足に直接装着され、履物とは別体として設けられたインソール１６０である。なお、このインソール１６０は、履物の中底等の上に載置されることで機能するが、この履物は、運動靴等に限定されるものではなく、サンダル等様々な履物にも適用することが可能である。また、図示例のインソール１６０は右足用であるが、左足用についても同様の構成であり、便宜的に図示並びにその説明を省略する。
【０１０６】
本実施形態のインソール１６０は、少なくとも足裏のつけ根後方が接する接触面１６１ａを有するベース１６１を備える。
【０１０７】
このベース１６１の上面には、前後方向に所定の足指を挿通可能な円環状の孔部１６２（本願の位置決め手段）が一体的に設けられており、インソール１６０は、この孔部１６２に足の指６を挿通することで利用者の足裏に位置決めして固定することができる。
【０１０８】
孔部１６２は、例えば、ベース１６１の上面左右に一体的に設けられ、利用者の拇趾を挿通する第１の孔１６２ａと、小指（第五趾）を挿通する第２の孔１６２ｂと、を有する。第１の孔１６２ａは、第２の孔１６２ｂよりも少し大きく形成される。
【０１０９】
なお、本実施形態では、拇趾と小指を挿通する孔１６２ａ、１６２ｂを形成したが、例えば、拇趾と、他のすべての指を挿通する２つの孔を形成しても構わない。このように孔部１６２は、ベース１６１を利用者の足裏の適切な位置に位置決めして固定するための手段であり、その形状や配置は特に限定されるものではない。
【０１１０】
また、ベース１６１は、弾性体で形成されており、適度に荷重が加わることで弾性変形可能となっている。本実施形態のベース１６１は、高分子溶液を冷却化することによって得られるゲル状の部材が用いられるが、ゴム等の部材が用いられても良い。また、ベース１６１は、弾性を有することが好ましいものの必須の要素ではない。弾性を有しない材質でベース１６１が成形された場合、各利用者の足の形状に応じたものを用いる必要があるが、弾性を有することで、利用者の足のサイズや大きさに応じて変形可能であるため対応しやすくなる利点がある。
【０１１１】
このベース１６１は、図１５及び図１６に示すように、所定の厚みを有して略帯状に形成され、少なくとも利用者の足裏の拇趾球５７、及び小趾球５８の一部又は全部を含む足裏と接し、このベース１６１の幅（左右方向の長さ）は、利用者の足幅よりも少し小さく形成される。
【０１１２】
このベース１６１は、例えば、親指側の端部が小指側の端部よりも前後方向の長さが幅広に形成されており、具体的には親指側はほぼ拇趾球５７を覆う程度の領域を有し、小指側はほぼ小趾球５８を覆う程度の領域を有する。また、ベース１６１の前端は、足の各指６のつけ根に沿って配置されるアーチ形状に形成される。
【０１１３】
なお、親指側を小指側よりも幅広にしたのは、親指側にかかる荷重が小指側にかかる荷重よりも大きいことを考慮するものであり、特にこの形状に限定されるものではなく、均一幅としても構わない。
【０１１４】
また、本実施例のインソール１６０のベース１６１は、正面視において、上下方向に湾曲して略「への字」形状に形成されるが、平坦状であっても構わない。
【０１１５】
そして、ベース１６１を足に装着して履物を履いた際には、ベース１６１に荷重が加わることで弾性変形し、ベース１６１の表面はなだらかな曲面を有し、足裏が密着して取り付けられる。このように、利用者の足の各指、つけ根３、拇趾球５７、および小趾球５８近傍をこのベース１６１の表面に密着させることで足裏が滑り難くなり、足裏の滑りが防止される。また、履物の表面に対してベース１６１が所定の高さを有して配置されるため、ベース１６１の前方先端部の形状に沿って足の指が自然と「く」の字に屈曲することによって、つま先２は浮くことなく履物の表面に接触されやすくなり、歩行時には、つま先２、つけ根３、かかと４の３点で安定的に足が支持される。
【実施例８】
【０１１６】
次に、図１７及び図１８を用いて本願の実施例８について説明する。また、図１７及び図１８において、図１４と共通する部分には同一符号を付し、それらの詳細な説明は省略する。なお、本実施例は、図１４に示す突起部１５０の好適な取付位置を示す一例である。また、図示例の履物１００Ｃは右足用であるが、左足用についても同様の構成であり、便宜的に図示並びにその説明を省略する。
【０１１７】
本実施例の履物１００Ｃに設けられる突起部１５０は、利用者の足の拇趾と第二趾の間の指元（突起１４１）から、ベースの前方部左右両側の斜め後方に延びて配置される突起体を有する。
【０１１８】
突起部１５０は、突起１４１を基点として利用者の拇趾側に配置される第１の突起部１５１Ａと、利用者の第二趾から第五趾側に配置される第２の突起部１５１Ｂと、を有し、略Ｕ字状に一体的に形成されている。なお、突起体は、第１の突起部１５１Ａと第２の突起部１５１Ｂとを分けて別体として配置しても構わない。
【０１１９】
また、この突起部１５０は、利用者の足の各指６の中足趾節関節（ＭＴＰ関節Ｘ）を結ぶ線７を跨ぐようにして配置される。
【０１２０】
また、この突起部１５０の形状は、好ましくは断面視略半円状に形成されているが、特にこの形態に限定されるものではなく矩形状であっても構わない。
【０１２１】
図１８に示すように、第１の突起部１５１Ａは、拇趾球の輪郭線の外側に配置されるように湾曲して形成され、歩行時において、拇趾球の滑りが防止されるとともに、拇趾が自然に屈曲し、歩行時において拇趾が浮くことなくベース１３０の表面に密着される。
【０１２２】
第２の突起部１５１Ｂは、少なくとも利用者の足の各指６の中足趾節関節（ＭＴＰ関節Ｘ）を結ぶ線７を跨ぐ長さを有して略直線状に形成される。なお、第２の突起部１５１Ｂの端部は、ベース１３０の側面まで到達する長さを有しても構わない。
【０１２３】
このように構成された履物１００Ｃによれば、突起部１５０によって、拇趾球から小指側の小趾球をつなぐ肉球の滑りが防止され、特に、拇趾の浮きが防止されて安定的に足が支持される。
【０１２４】
以上に説明したように、本実施例の履物１００Ｃは、利用者の足が載置されるベース１３０を備え、このベース１３０の前方には、利用者の拇趾と第二趾の間の指元に配置される突起１４１と、突起１４１を基点として、利用者の足の各指の中足趾節関節（ＭＴＰ関節Ｘ）を結ぶ線７を跨ぐようにしてベース１３０の前方部左右両側の斜め後方に延びて配置される突起部１５０を備えている。また、突起部１５０の一部は、拇趾球の輪郭線の外側に配置されるように湾曲して形成されている。
【０１２５】
したがって、この履物１００Ｃは、突起部１５０によって、拇趾球から小指側の小趾球をつなぐ肉球の滑りが防止され、特に、拇趾の浮きが防止されて安定的に足が支持される。
【０１２６】
なお、上述した実施例は一形態であって、この形態に限定されるものではない。例えば、本実施例を適宜組み合わせても構わない。具体的には、実施例１の履物１Ａに用いられる基体１５の裏面１３ｂに実施例３で示すインソール１Ｃの部材４１の裏面４１ａに形成される凸状体４０を設けても構わない。同様に、実施例２で示すインソール１Ｂの部材の裏面１３ｂに実施例３で示すインソール１Ｃの部材４１の裏面４１ａに形成される凸状体４０を設けても構わない。
【０１２７】
また、凸状体４０の代わりとして、部材４１を粘着質の材料を用いて形成してもよく、さらには、部材の裏面を粘着質の層とし、部材の表面をゴムなどの弾性層とした二層構造としても構わない。
【０１２８】
また、実施例６及び８に示す履物１００Ｂ、１００Ｃは、インソールとして構成しても構わない。この場合、突起部１５０は、足裏に装着される所定の厚みを有するベースの表面又は裏面に設けられる。ベースの形状や大きさは、特に限定されるものではないが、少なくとも足裏の前方部を覆う程度の大きさを有することが好ましい。
【符号の説明】
【０１２９】
１Ａ、１００Ａ、１００Ｂ、１００Ｃ  履物
１Ｂ、１Ｃ、１６０  インソール
３  つけ根
７  アーチ部分
１２  取付体
１３ｂ  基体の裏面
１５  基体
２０  突起
１２０、１５０  突起部
１６０  インソール
１６２  孔部
【図１】
2018023691.tif 000003
【図２】
2018023691.tif 000004
【図３】
2018023691.tif 000005
【図４】
2018023691.tif 000006
【図５】
2018023691.tif 000007
【図６】
2018023691.tif 000008
【図７】
2018023691.tif 000009
【図８】
2018023691.tif 000010
【図９】
2018023691.tif 000011
【図１０】
2018023691.tif 000012
【図１１】
2018023691.tif 000013
【図１２】
2018023691.tif 000014
【図１３】
2018023691.tif 000015
【図１４】
2018023691.tif 000016
【図１５】
2018023691.tif 000017
【図１６】
2018023691.tif 000018
【図１７】
2018023691.tif 000019
【図１８】
2018023691.tif 000020